(57)【要約】【課題】ディスプレイ画面を見やすいディスプレイ画面固定具およびディスプレイ装置を提供すること。【解決手段】本考案のディスプレイ装置は，ディスプレイ画面１と，これを保持するディスプレイ画面固定具２とを有している。ディスプレイ画面固定具２は，本体部３と，補助保持部４とからなっている。本体部３と補助保持部４とで，ステアリングコラムを挟み付けるようになっている。本体部３は，ディスプレイ画面１を保持する画面保持部５と，コラム保持部６とからなり，全体で一体成形されている。コラム保持部６および補助保持部４には，合わせ部と，その外側の結合部とが設けられている。合わせ部は，取り付け対象車のステアリングコラムの形状に合わせて成形されている。結合部は，互いに結合するための部位である。コラム保持部６をステアリングコラムの上側に取り付けたときにディスプレイ画面１がステアリングコラムの上方に位置する。【選択図】図１
0003121763.tif 000002
【実用新案登録請求の範囲】
【請求項１】
ディスプレイ画面をステアリングコラムの上方に取り付けるディスプレイ画面固定具において，
ステアリングコラムに上方から被さるコラム保持部と，
前記コラム保持部をステアリングコラムの上側に取り付けたときにディスプレイ画面をステアリングコラムの上方に保持する画面保持部とを有することを特徴とするディスプレイ装置。
【請求項２】
ディスプレイ画面と，前記ディスプレイ画面をステアリングコラムの上方に取り付けるディスプレイ画面固定具とを有するディスプレイ装置において，
前記ディスプレイ画面固定具は，
ステアリングコラムに上方から被さるコラム保持部と，
前記コラム保持部と一体であり，前記コラム保持部をステアリングコラムの上側に取り付けたときに前記ディスプレイ画面をステアリングコラムの上方に保持する画面保持部と，
ステアリングコラムの下方に配置され前記コラム保持部とともにステアリングコラムを挟む補助保持部とを有し，
前記コラム保持部および前記補助保持部には，
ステアリングコラムの形状に沿う合わせ部と，
前記合わせ部の外側に位置し互いに結合する結合部とが設けられていることを特徴とするディスプレイ装置。
【考案の詳細な説明】
【技術分野】
【０００１】
本考案は，カーナビ等のディスプレイ画面を車両に取り付けるディスプレイ画面固定具およびディスプレイ装置に関する。
【背景技術】
【０００２】
近年ではカーナビ等，車内で種々の情報を画面に表示する機器が普及してきている。カーナビのディスプレイ画面には，車両に当初から装備されているものと後付のものとがあるが，いずれも多くは，ダッシュボードに配置される。あるいは，天井などに取り付けるものもある。
【考案の開示】
【考案が解決しようとする課題】
【０００３】
しかしながら，前述の従来のディスプレイ画面の配置ではいずれも，見るときとそうでないときとの視線方向の違いが大きかった。中には視線移動だけでは足りず首振りが必要なものもあった。このため実際上，必ずしも見やすいものではなかった。
【０００４】
本考案は，前述の従来のディスプレイが有する問題点を解決するためになされたものである。すなわちその課題とするところは，見るときとそうでないときとの視線方向の違いが小さく，ディスプレイ画面を見やすいディスプレイ画面固定具およびディスプレイ装置を提供することにある。
【課題を解決するための手段】
【０００５】
この課題の解決を目的としてなされた本考案のディスプレイ画面固定具は，ディスプレイ画面をステアリングコラムの上方に取り付けるものであって，ステアリングコラムに上方から被さるコラム保持部と，コラム保持部をステアリングコラムの上側に取り付けたときにディスプレイ画面をステアリングコラムの上方に保持する画面保持部とを有している。このため装着状態ではディスプレイ画面がステアリングコラムのすぐ上に位置し，少ない視線移動で見ることができる。
【０００６】
ここで，画面保持部とコラム保持部とは一体であることが好ましい。これにより，ディスプレイ画面がステアリングコラムのすぐ上に位置決めされる。また，コラム保持部には，ステアリングコラムの形状に沿う合わせ部が設けられていることが望ましい。これにより，車種に合わせてディスプレイ画面を位置決めすることができる。また，本考案のディスプレイ画面固定具はさらに，ステアリングコラムの下方に配置されコラム保持部とともにステアリングコラムを挟む補助保持部を有することが好ましい。その場合，コラム保持部および補助保持部には，合わせ部の外側に位置し互いに結合する結合部が設けられていることが望ましい。これにより，ステアリングコラムをしっかりと挟みつけ，ディスプレイ画面を確実に固定することができる。また，補助保持部にも，ステアリングコラムの形状に沿う合わせ部が設けられていることが望ましい。
【０００７】
また，本考案のディスプレイ装置は基本的に，本考案のディスプレイ画面固定具にディスプレイ画面を備えたものである。
【考案の効果】
【０００８】
本考案によれば，少ない視線移動しか要さず，ディスプレイ画面を見やすいディスプレイ画面固定具およびディスプレイ装置が提供されている。
【考案を実施するための最良の形態】
【０００９】
以下，本考案を具体化した最良の形態について，添付図面を参照しつつ詳細に説明する。本形態は，自動車のカーナビ等のディスプレイ画面を車両に後付けするディスプレイ装置として本考案を具体化したものである。本形態に係るディスプレイ装置は，図１に示すように構成されている。すなわちこのディスプレイ装置は，ディスプレイ画面１と，これを保持するディスプレイ画面固定具２とを有している。ディスプレイ画面固定具２は，本体部３と，補助保持部４とからなっている。本体部３と補助保持部４とで，ステアリングコラムを挟み付けるようになっている。
【００１０】
図２に示すように本体部３は，ディスプレイ画面１を保持する画面保持部５と，コラム保持部６とからなり，全体で一体成形されている。コラム保持部６には，合わせ部７と，その外側の結合部８とが設けられている。合わせ部７は，取り付け対象車のステアリングコラムの上側の形状に合わせて成形されている。結合部８は，補助保持部４と互いに結合するための部位である。本体部３は，コラム保持部６をステアリングコラムの上側に取り付けたときにディスプレイ画面１がステアリングコラムの上方に位置する形状とされている。
【００１１】
図３に示すように補助保持部４にも，合わせ部９と，その外側の結合部１０とが設けられている。合わせ部９は，取り付け対象車のステアリングコラムの下側の形状に合わせて成形されている。結合部１０は，本体部３の結合部８と互いに結合するための部位である。なお，結合部８と結合部１０との結合は，ビス止めでもよいし，ボス止めでもよい。何でもよい。また，ディスプレイ画面固定具２には上記の他，ステアリングコラムから生えるレバー類を通すための穴１１や，ステアリングコラムに設けられたスイッチ類へのアクセスを許容するための穴１２などが設けられている。
【００１２】
このディスプレイ装置を車両に取り付ける際にはまず，本体部３を取り付け対象車のステアリングコラムの上に載せる。このとき，コラム保持部６がステアリングコラムに上方から被せられた状態となり，その合わせ部７がステアリングコラムに接する。これにより，ディスプレイ画面１がステアリングコラムの上方に位置することになる。そして，補助保持部４をステアリングコラムの下に沿わせて配置し，結合部８と結合部１０とを結合する。このとき，補助保持部４の合わせ部９がステアリングコラムに接する。また，補助保持部４は，本体部３から見てステアリングコラムを下方から跨いだ配置となっており，コラム保持部６とともにステアリングコラムを挟みつけている。
【００１３】
これにより，ディスプレイ画面１がステアリングコラムの上方に，ぐらつくことなくしっかりと位置決めされて固定された状態となる。ステアリングコラムの形状に合わせて成形された合わせ部７と合わせ部９とでステアリングコラムを挟みつけることにより固定されているからである。そして，配線類を結線すれば，ディスプレイ画面１の表示が可能な状態となる。
【００１４】
ここにおいて，本体部３自体をステアリングコラムの上側に，ビス止めや接着等により固定する構成も可能である。その場合，補助保持部４は不要である。また，補助保持部４を用いる場合でも，結合部８と結合部１０との結合を，ステアリングコラムの左右両側でなくいずれか一方の側だけで行う構成も可能である。また，ディスプレイ画面１が作りつけとなっておらず，別売りのディスプレイ画面を図中の「１」の箇所に装着して使用する構成でもよい。
【００１５】
以上詳細に説明したように本形態によれば，ディスプレイ画面１をステアリングコラムの上方にしっかりと固定できるディスプレイ画面固定具およびディスプレイ装置が提供されている。これにより，少ない視線移動でディスプレイ画面１を見ることができるディスプレイ画面固定具およびディスプレイ装置が実現されている。
【図面の簡単な説明】
【００１６】
【図１】実施の形態に係るディスプレイ装置の外観図である。
【図２】図１のディスプレイ装置の固定部材の外観図である。
【図３】図１のディスプレイ装置の補助保持部の外観図である。
【符号の説明】
【００１７】
１        ディスプレイ画面
３        本体部（固定部材）
４        補助保持部（固定部材）
５        画面保持部
６        コラム保持部
７，９    合わせ部
８，１０  結合部
【図１】
0003121763.tif 000003
【図２】
0003121763.tif 000004
【図３】
0003121763.tif 000005
【手続補正書】
【提出日】平成18年3月28日(2006.3.28)
【手続補正１】
【補正対象書類名】実用新案登録請求の範囲
【補正対象項目名】請求項１
【補正方法】変更
【補正の内容】
【請求項１】
ディスプレイ画面をステアリングコラムの上方に取り付けるディスプレイ画面固定具において，
ステアリングコラムに上方から被さるコラム保持部と，
前記コラム保持部をステアリングコラムの上側に取り付けたときにディスプレイ画面をステアリングコラムの上方に保持する画面保持部とを有することを特徴とするディスプレイ画面固定具。